(57)【要約】【課題】セキュリティの向上及び消費電力の低減を図ること。【解決手段】腕時計１００は、スマートフォン１０から認証情報を受信する第１状態と、スマートフォン１０から認証情報を受信せず第１状態より消費電力が小さい第２状態と、を切替可能である。また、腕時計１００は、ＮＦＣ決済端末２０との間で近距離無線通信を行う。また、腕時計１００は、第１状態においてスマートフォン１０から受信した認証情報に基づく認証が成功した場合に、近距離無線通信を用いた所定の機能を有効にして第２状態に切り替わる。【選択図】図２
2020118611.tif 000002
【特許請求の範囲】
【請求項１】
第１通信装置から認証情報を受信する第１状態と、前記第１通信装置から前記認証情報を受信せず前記第１状態より消費電力が小さい第２状態と、を切替可能な第１通信部と、
前記第１通信装置と異なる第２通信装置との間で近距離無線通信を行う第２通信部と、
前記第１状態の前記第１通信部が前記第１通信装置から受信した前記認証情報に基づく認証が成功した場合に、前記近距離無線通信を用いた所定の機能を有効にして前記第１通信部を前記第２状態に切り替える制御部と、
を備えることを特徴とする腕時計。
【請求項２】
前記制御部は、ユーザへの装着を検出した場合に、前記第１通信部を前記第１状態にして前記第１通信部に前記認証情報を受信させ前記認証を行うことを特徴とする請求項１に記載の腕時計。
【請求項３】
前記制御部は、前記所定の機能を有効にした後、ユーザからの取り外しを検出した場合に前記所定の機能を無効にすることを特徴とする請求項１又は２に記載の腕時計。
【請求項４】
前記第１通信部は、前記第１通信装置との間で通信を行う通信回路であり、前記第１状態は前記通信回路に電源が供給された状態であり、前記第２状態は前記通信回路に電源が供給されていない状態であることを特徴とする請求項１〜３のいずれか一つに記載の腕時計。
【請求項５】
前記所定の機能は、決済を行う機能を含むことを特徴とする請求項１〜４のいずれか一つに記載の腕時計。
【請求項６】
前記所定の機能は、電子錠の解錠及び施錠の少なくともいずれかを行う機能を含むことを特徴とする請求項１〜５のいずれか一つに記載の腕時計。
【請求項７】
第１通信装置と、
前記第１通信装置から認証情報を受信する第１状態と、前記第１通信装置から前記認証情報を受信せず前記第１状態より消費電力が小さい第２状態と、を切替可能であり、前記第１通信装置と異なる第２通信装置との間で近距離無線通信を行い、前記第１状態において前記第１通信装置から受信した前記認証情報に基づく認証が成功した場合に、前記近距離無線通信を用いた所定の機能を有効にして前記第２状態に切り替わる腕時計と、
を含むことを特徴とするシステム。
【発明の詳細な説明】
【技術分野】
【０００１】
この発明は、腕時計及びシステムに関する。
【背景技術】
【０００２】
従来、時計本体がユーザの腕に装着中であるか否かを検出する装着センサや、認証データの入力を受け付けるキー、指紋撮像センサ、タッチ／ペン入力部などを備える時計において、ユーザが時計本体を長時間装着していない場合には認証設定を解除して認証要求等を不可能にする構成が知られている（例えば、下記特許文献１参照。）。
【０００３】
また、近距離無線通信などを用いた電子財布などの決済機能を備える腕時計が知られている。例えば、スマートフォンと連携して動作する腕時計が、スマートフォンの電子財布にチャージされている金銭で近距離無線通信による決済を行う構成が知られている（例えば、下記特許文献２参照。）。
【先行技術文献】
【特許文献】
【０００４】
【特許文献１】特開２０００−２００３１５号公報
【特許文献２】特開２０１６−１８４４２０号公報
【発明の概要】
【発明が解決しようとする課題】
【０００５】
しかしながら、上述した従来技術では、腕時計が有する決済機能などの機能に関するセキュリティの向上及び腕時計の消費電力の低減を図ることが困難という問題がある。
【０００６】
例えば、腕時計が有する機能を有効にする際の認証のために、上記特許文献１のように認証データの入力を受け付けるキー、指紋撮像センサ、タッチ／ペン入力部などのユーザインタフェースを腕時計に設けると、腕時計が大型化したり、腕時計の外観品質が劣化したりする。このため、腕時計の大型化及び外観品質の劣化を回避しつつ、腕時計が有する機能に関するセキュリティを向上させることが困難である。
【０００７】
また、腕時計が有する機能を有効にする際の認証のために、無線通信により腕時計をスマートフォン等と連携させ、認証データの入力をスマートフォン等において行う構成も考えられるが、このような構成においては腕時計とスマートフォン等との間の無線通信により腕時計の消費電力が大きくなる。
【０００８】
この発明は、上述した従来技術による問題点を解消するため、セキュリティの向上及び消費電力の低減を図ることができる腕時計及びシステムを提供することを目的とする。
【課題を解決するための手段】
【０００９】
上述した課題を解決し、目的を達成するため、この発明にかかる腕時計は、第１通信装置から認証情報を受信する第１状態と、前記第１通信装置から前記認証情報を受信せず前記第１状態より消費電力が小さい第２状態と、を切替可能な第１通信部と、前記第１通信装置と異なる第２通信装置との間で近距離無線通信を行う第２通信部と、前記第１状態の前記第１通信部が前記第１通信装置から受信した前記認証情報に基づく認証が成功した場合に、前記近距離無線通信を用いた所定の機能を有効にして前記第１通信部を前記第２状態に切り替える制御部と、を備えることを特徴とする。
【００１０】
これにより、第１通信部における消費電力を低減することができる。また、腕時計の大型化及び外観品質の劣化を回避しつつ、所定の機能を第三者に不正使用されることを抑制してセキュリティを向上させることができる。
【００１１】
また、この発明にかかる腕時計は、前記制御部が、ユーザへの装着を検出した場合に、前記第１通信部を前記第１状態にして前記第１通信部に前記認証情報を受信させ前記認証を行うことを特徴とする。
【００１２】
また、この発明にかかる腕時計は、前記制御部が、前記所定の機能を有効にした後、ユーザからの取り外しを検出した場合に前記所定の機能を無効にすることを特徴とする。
【００１３】
また、この発明にかかる腕時計は、前記第１通信部が、前記第１通信装置との間で通信を行う通信回路であり、前記第１状態は前記通信回路に電源が供給された状態であり、前記第２状態は前記通信回路に電源が供給されていない状態であることを特徴とする。
【００１４】
また、この発明にかかる腕時計は、前記所定の機能が、決済を行う機能を含むことを特徴とする。
【００１５】
また、この発明にかかる腕時計は、前記所定の機能が、電子錠の解錠及び施錠の少なくともいずれかを行う機能を含むことを特徴とする。
【００１６】
また、この発明にかかるシステムは、第１通信装置と、前記第１通信装置から認証情報を受信する第１状態と、前記第１通信装置から前記認証情報を受信せず前記第１状態より消費電力が小さい第２状態と、を切替可能であり、前記第１通信装置と異なる第２通信装置との間で近距離無線通信を行い、前記第１状態において前記第１通信装置から受信した前記認証情報に基づく認証が成功した場合に、前記近距離無線通信を用いた所定の機能を有効にして前記第２状態に切り替わる腕時計と、を含むことを特徴とする。
【発明の効果】
【００１７】
この発明の一側面によれば、セキュリティの向上及び消費電力の低減を図ることができるという効果を奏する。
【図面の簡単な説明】
【００１８】
【図１】図１は、実施の形態１にかかる腕時計の外観の一例を示す図である。
【図２】図２は、実施の形態１にかかるシステムの一例を示す図である。
【図３】図３は、実施の形態１にかかる腕時計のハードウェア構成の一例を示す図である。
【図４】図４は、実施の形態１にかかる腕時計を用いた決済の流れの一例を示す図（その１）である。
【図５】図５は、実施の形態１にかかる腕時計を用いた決済の流れの一例を示す図（その２）である。
【図６】図６は、実施の形態１にかかる腕時計を用いた決済の流れの一例を示す図（その３）である。
【図７】図７は、実施の形態１にかかる腕時計を用いた決済の流れの一例を示す図（その４）である。
【図８】図８は、実施の形態１にかかる腕時計を用いた決済の流れの一例を示す図（その５）である。
【図９】図９は、実施の形態１にかかる腕時計による処理の一例を示すフローチャートである。
【図１０】図１０は、実施の形態１にかかるシステムにおける処理の一例を示すシーケンス図である。
【図１１】図１１は、実施の形態１にかかるシステムにおける処理の他の一例を示すシーケンス図である。
【図１２】図１２は、実施の形態２にかかるシステムの一例を示す図である。
【図１３】図１３は、実施の形態３にかかるシステムの一例を示す図である。
【発明を実施するための形態】
【００１９】
以下に図面を参照して、この発明にかかる腕時計及びシステムの実施の形態を詳細に説明する。
【００２０】
（実施の形態１）
（実施の形態１にかかる腕時計の外観）
図１は、実施の形態１にかかる腕時計の外観の一例を示す図である。図１に示すように、実施の形態１にかかる腕時計１００は、外装（時計ケース）である胴内に、文字板１１０と、時針１２１、分針１２２及び秒針１２３と、を備える。
【００２１】
時針１２１、分針１２２及び秒針１２３は、文字板１１０に表記された時刻や目盛を指示することによって現在時刻を表示する指針である。また、例えば時針１２１、分針１２２及び秒針１２３は、現在時刻とは異なる情報の表示にも用いられてもよい。
【００２２】
また、腕時計１００は、胴の側面に、腕時計１００のユーザが種々の操作を行うための操作部として、リューズ１３１、第１プッシュボタン１３２及び第２プッシュボタン１３３が配置されている。図１に示す例では、リューズ１３１は３時側に配置され、第１プッシュボタン１３２は２時側に配置され、第２プッシュボタン１３３は４時側に配置されている。
【００２３】
腕時計１００の胴には、文字板１１０を覆うようにガラス等の透明材料により形成された風防が取り付けられている。また、腕時計１００の胴における風防の反対側には裏蓋が取り付けられている。以降、腕時計１００において風防が配置される方向（図１における紙面手前方向）を表側、腕時計１００において裏蓋が配置される方向（図１における紙面奥方向）を裏側と呼ぶ。腕時計１００の胴には、腕時計１００のユーザが手首等に巻くことによって腕時計１００を装着するためのバンド１４０が取り付けられている。
【００２４】
また、腕時計１００は、太陽などの光エネルギーによって発電し、発電した電力を二次電池に蓄える構成とする光発電機構を有する腕時計であってもよい。例えば、文字板１１０の裏側には太陽電池が配置され、表側から入光した光により太陽電池において発電がなされる。そのため、文字板１１０はある程度光線を透過する材質で形成される。太陽電池によって発電された電力は二次電池に蓄積され、二次電池に蓄積された電力は腕時計１００の電源として使用される。また、腕時計１００は、光発電に代えてペルチェ素子などを用いた熱発電時計であってもよく、電磁誘導やマイクロ波や磁界共鳴などの無線による給電を二次電池に蓄電する構成であってもよい。なお、無線給電において裏蓋側から給電する場合には、裏蓋の少なくとも一部を非導電性部材で形成する。
【００２５】
図１に示した腕時計１００の外観は一例であり、腕時計１００の外観はこれに限らない。例えば、胴を丸型でなく角型にしてもよいし、リューズ１３１やプッシュボタン等の有無、数、配置、形状も任意に変更することができる。また、指針として時針１２１、分針１２２、秒針１２３の３本を備える構成に限らず、例えば秒針１２３を省略してもよい。又は、曜日、サマータイムの有無、電波の受信状態や電池の残量、日付などの各種の表示を行う指針等を追加したりしてもよい。
【００２６】
また、腕時計１００が指針により時刻を表示するアナログ時計である構成について説明したが、このような構成に限らない。例えば、腕時計１００は、ディスプレイにより時刻を表示するデジタル時計、又は音声によって時刻を通知する音声時計などであってもよい。また、腕時計１００は、アナログ時計やデジタル時計の時刻表示部を示す画像をディスプレイにより表示することにより現在時刻を通知する時計（例えばスマートウォッチ）であってもよい。
【００２７】
（実施の形態１にかかるシステム）
図２は、実施の形態１にかかるシステムの一例を示す図である。図２に示すように、実施の形態１にかかるシステム２００は、ＮＦＣ決済端末２０を用いた決済を補助する決済補助システムである。例えば、システム２００は、スマートフォン１０及び上述の腕時計１００を含む。
【００２８】
腕時計１００及びスマートフォン１０は、例えば同一のユーザが所有している。腕時計１００は、ＮＦＣ決済端末２０との間でＮＦＣの無線通信を行うことにより決済を行う決済機能を有する。決済とは、例えばＮＦＣ決済端末２０が設置された店舗等における支払いである。
【００２９】
スマートフォン１０は、腕時計１００との間で、腕時計１００の決済機能を有効（オン）にするための認証に用いられる通信を行う第１通信装置の一例である。決済機能を有効にするとは、例えば腕時計１００をＮＦＣ決済端末２０に近づけることにより決済機能が動作し決済が行われる状態にすることである。
【００３０】
ＮＦＣ決済端末２０は、腕時計１００との間でＮＦＣの無線通信（近距離無線通信）を行う第２通信装置の一例である。腕時計１００の決済機能は、腕時計１００とＮＦＣ決済端末２０との間のＮＦＣの無線通信を用いた所定の機能の一例である。第１通信装置、第２通信装置及び所定の機能の他の例については後述する。
【００３１】
例えば、スマートフォン１０は、タッチパネル１１、マイク１２、通話用スピーカ１３、アラーム用スピーカ１４などを備える情報端末であり、腕時計１００との間でＢｌｕｅｔｏｏｔｈ（登録商標）の無線通信が可能である。以下、ＢｌｕｅｔｏｏｔｈをＢＴと略記する。腕時計１００及びスマートフォン１０の間のＢＴの無線通信におけるペアリングは事前に行われているものとする。
【００３２】
スマートフォン１０は、例えば認証情報の入力をユーザから受け付ける。認証情報は、腕時計１００の決済機能を有効にするために腕時計１００において行われる認証に用いられる情報である。認証は、例えば腕時計１００の決済を行うユーザの正当性を確認する本人認証である。認証情報は、例えば、暗証番号、パスワード又は生体情報（例えば指紋、静脈、虹彩、声紋、顔形又は筆跡など）などの情報である。
【００３３】
例えば、認証情報が暗証番号やパスワードである場合、スマートフォン１０は、タッチパネル１１やマイク１２などを用いて暗証番号やパスワードの入力をユーザから受け付ける。認証情報が生体情報である場合、スマートフォン１０はこの生体情報をユーザから読み取る読み取り装置を備え、読み取り装置を用いて生体情報の入力をユーザから受け付ける。スマートフォン１０は、入力された認証情報を、ＢＴの無線通信により腕時計１００へ送信する。
【００３４】
又は、スマートフォン１０は、入力された暗証番号等のこれらの情報と、予め設定された正当な情報と、の一致判定を行い、その判定結果（一致か否か）を認証情報として腕時計１００へ送信してもよい。
【００３５】
腕時計１００は、認証に成功していない状態においては、腕時計１００（自時計）の決済機能を無効（オフ）にしている。腕時計１００の決済機能が無効である状態で腕時計１００をＮＦＣ決済端末２０に近づけても、決済を行うことはできない。
【００３６】
また、腕時計１００は、スマートフォン１０から送信された認証情報に基づく認証を行い、認証に成功すると、腕時計１００の決済機能を有効にする。腕時計１００のユーザは、腕時計１００の決済機能が有効である状態で腕時計１００をＮＦＣ決済端末２０のアンテナ２１に近づけることにより、腕時計１００がＮＦＣ決済端末２０との間でＮＦＣの無線通信を行い、決済を行うことができる。
【００３７】
ＮＦＣは、例えばＦｅｌｉＣａ（登録商標）などの方式を用いた近距離無線通信である。ＮＦＣによる決済方法は、例えば、電子マネーによる決済方法や、クレジットカードによる決済方法などである。電子マネーは、例えば残高等の金銭情報が腕時計１００のＩＣチップに記憶される非ネットワーク型の電子マネーである。クレジットカードによる決済は、腕時計１００のメモリに記憶された、ユーザが所有するクレジットカードの番号等を用いて行われる決済である。
【００３８】
このように、決済機能を有効にするための認証にユーザからの認証情報の入力を要する構成において、腕時計１００のユーザインタフェースは限られているため、スマートフォン１０によって認証情報の入力を受け付ける構成とする。
【００３９】
これにより、認証情報の入力を受け付けるためのユーザインタフェースを腕時計１００に設けなくても、腕時計１００の決済機能を有効にするための認証を行うことができる。このため、腕時計１００の決済機能に関するセキュリティを、腕時計１００の大型化及び外観品質の劣化を回避しつつ向上させることができる。
【００４０】
また、腕時計１００は、スマートフォン１０とＢＴの無線通信を行うための後述のＢＴ通信回路３２２を有し、ＢＴ通信回路３２２を第１状態と第２状態に切替可能である。第１状態は、スマートフォン１０との間でＢＴの無線通信を行って上述の認証情報をスマートフォン１０から受信可能な状態である。すなわち、上述の認証情報の受信はＢＴ通信回路３２２を第１状態にして行われる。第２状態は、上述の認証情報をスマートフォン１０から受信可能でない状態であって、第１状態よりＢＴ通信回路３２２の消費電力が小さい状態である。
【００４１】
一例としては、第１状態はＢＴ通信回路３２２に電源が供給されＢＴ通信回路３２２が動作する、いわゆるオンの状態であり、第２状態はＢＴ通信回路３２２に電源が供給されずＢＴ通信回路３２２が動作しない、いわゆるオフの状態である。ただし、第１状態及び第２状態はこれに限らない。例えば、第２状態はＢＴ通信回路３２２の少なくとも一部の動作が停止する、いわゆるスリープの状態であり、第１状態はその少なくとも一部の動作が停止しない、いわゆる起動状態（オンの状態）であってもよい。
【００４２】
又は、第２状態はＢＴ通信回路３２２が間欠的に無線通信を行う状態であり、第１状態はＢＴ通信回路３２２が継続的に無線通信を行う状態であってもよい。又は、第２状態は、第１状態よりもＢＴ通信回路３２２による通信の頻度が低い状態であってもよい。以下、第１状態がオンの状態であり第２状態がオフの状態である場合について説明する。
【００４３】
腕時計１００は、オンの状態のＢＴ通信回路３２２によりスマートフォン１０から認証情報を受信して認証に成功した場合に、上述のように腕時計１００の決済機能を有効にするとともに、ＢＴ通信回路３２２をオンの状態からオフの状態に切り替える。これにより、決済機能を有効にするための認証に用いるＢＴ通信回路３２２を、その認証が成功した場合にはオフにして消費電力を低減することができる。このため、腕時計１００によれば、腕時計１００の決済機能に関するセキュリティを向上させつつ、腕時計１００の消費電力を低減させることができる。
【００４４】
また、腕時計１００は、ユーザに対する腕時計１００の着脱（装着及び取り外し）を検出する機能を有していてもよい。腕時計１００の着脱の検出方法については後述する（例えば図３参照）。
【００４５】
例えば、腕時計１００は、ユーザによる腕時計１００の装着を検出した場合に、ＢＴ通信回路３２２をオンにして上述の認証を行ってもよい。例えば、腕時計１００は、ユーザへの腕時計１００の装着を検出した際にＢＴ通信回路３２２がオフであった場合はＢＴ通信回路３２２をオンにして上述の認証を行う。また、腕時計１００は、ユーザへの腕時計１００の装着を検出した際にＢＴ通信回路３２２がオンであった場合はＢＴ通信回路３２２がオンである状態を維持して上述の認証を行う。
【００４６】
具体的には、腕時計１００は、ユーザによる腕時計１００の装着を検出すると、ＢＴ通信回路３２２をオンにして、認証情報の送信を要求する要求信号をスマートフォン１０へ送信する。スマートフォン１０は、腕時計１００からこの要求信号を受信すると、ユーザから認証情報の入力を受け付け、入力された認証情報を腕時計１００へ送信する。腕時計１００は、上述のようにスマートフォン１０から受信した認証情報に基づく認証を行い、認証に成功した場合は腕時計１００の決済機能を有効にする。
【００４７】
これにより、ユーザによる腕時計１００の装着を契機として腕時計１００の決済機能を有効にすることができるため、ユーザは腕時計１００を装着している間、装着した腕時計１００をＮＦＣ決済端末２０のアンテナ２１に近づけることにより決済を行うことができる。このため、ユーザにとっての利便性を向上させることができる。
【００４８】
また、腕時計１００は、腕時計１００の決済機能を有効にした後、ユーザからの腕時計１００の取り外しを検出した場合に、その決済機能を無効にしてもよい。これにより、例えばユーザが腕時計１００を遺失した場合に、腕時計１００はユーザからの取り外しを検出して決済機能を無効にする。このため、ユーザが遺失した腕時計１００を拾得した第三者が腕時計１００を用いて不正な決済を行うことはできないため、セキュリティを向上させることができる。
【００４９】
（実施の形態１にかかる腕時計のハードウェア構成）
図３は、実施の形態１にかかる腕時計のハードウェア構成の一例を示す図である。図３に示すように、腕時計１００は、太陽電池３１１と、電源３１２と、アンテナ３２１と、ＢＴ通信回路３２２と、アンテナ３３１と、ＮＦＣ通信回路３３２と、制御回路３４０と、駆動機構３５１と、表示部３５２と、操作部３６０と、着脱検出部３７０とを備える。
【００５０】
太陽電池３１１は、例えば図１に示した文字板１１０の裏側に配置されている。そして、太陽電池３１１は、腕時計１００に対して照射される太陽光などの外光によって発電し、発電した電力を、制御回路３４０を介して電源３１２に供給する。電源３１２は、制御回路３４０などの腕時計１００の各回路に対して電力を供給する。例えば、電源３１２は、太陽電池３１１によって発電された電力を蓄積する、リチウムイオン電池などの二次電池である。
【００５１】
アンテナ３２１は、スマートフォン１０からＢＴにより無線送信された信号を受信し、受信した信号をＢＴ通信回路３２２へ出力する。また、アンテナ３２１は、ＢＴ通信回路３２２から出力されたＢＴの信号をスマートフォン１０へ無線送信する。
【００５２】
ＢＴ通信回路３２２は、アンテナ３２１を用いてスマートフォン１０との間でＢＴの無線通信を行う第１通信部の一例である。具体的には、ＢＴ通信回路３２２は、アンテナ３２１から出力された信号の受信処理を行い、受信処理により得られたデータを制御回路３４０へ出力する。受信処理には、例えば、増幅、復調、復号、アナログ／デジタル変換などが含まれる。
【００５３】
また、ＢＴ通信回路３２２は、制御回路３４０から出力されたデータに基づく送信処理を行い、送信処理により得られた信号をアンテナ３２１へ出力する。送信処理には、例えば、デジタル／アナログ変換、符号化、変調及び増幅などが含まれる。
【００５４】
アンテナ３３１は、ＮＦＣ決済端末２０からＮＦＣにより無線送信された信号を受信し、受信した信号をＮＦＣ通信回路３３２へ出力する。また、アンテナ３３１は、ＮＦＣ通信回路３３２から出力されたＮＦＣの信号をＮＦＣ決済端末２０へ無線送信する。
【００５５】
ＮＦＣ通信回路３３２は、アンテナ３３１を用いてＮＦＣ決済端末２０との間でＮＦＣの無線通信を行う第２通信部の一例である。具体的には、ＮＦＣ通信回路３３２は、アンテナ３３１から出力された信号の受信処理を行い、受信処理により得られたデータを制御回路３４０へ出力する。また、ＮＦＣ通信回路３３２は、制御回路３４０から出力されたデータに基づく送信処理を行い、送信処理により得られた信号をアンテナ３３１へ出力する。
【００５６】
制御回路３４０は、腕時計１００の各部の制御を行うマイクロコンピュータなどの回路であり、互いに協調動作するプロセッサ及びメモリによって実現される。制御回路３４０のメモリには、ＲＡＭ（Ｒａｎｄｏｍ  Ａｃｃｅｓｓ  Ｍｅｍｏｒｙ）などのメインメモリと、ＲＯＭ（Ｒｅａｄ  Ｏｎｌｙ  Ｍｅｍｏｒｙ）などの補助メモリ（不揮発性メモリ）と、が含まれる。
【００５７】
例えば、制御回路３４０は、演算部３４１と、ＢＴ制御部３４２と、個人認証処理部３４３と、ＮＦＣ制御部３４４と、を含む。演算部３４１は、腕時計１００の全体の制御を司る。例えば、演算部３４１は、プロセッサにより実現され、補助メモリに記憶されたプログラムをメインメモリにロードして実行することにより各種の制御を行う。
【００５８】
ＢＴ制御部３４２は、ＢＴ通信回路３２２によるＢＴの無線通信を制御する。また、ＢＴ制御部３４２は、スマートフォン１０から、スマートフォン１０へ入力されたユーザの認証情報を、ＢＴ通信回路３２２を介して取得し、取得した認証情報を個人認証処理部３４３へ出力する。
【００５９】
個人認証処理部３４３は、ＢＴ制御部３４２から出力された認証情報に基づく上述の認証を行う。例えば、個人認証処理部３４３は、ＢＴ制御部３４２から出力された認証情報と、事前に登録され制御回路３４０の補助メモリに記憶された認証情報と、を比較することにより認証を行う。
【００６０】
例えば、認証情報が暗証番号である場合に、個人認証処理部３４３は、ＢＴ制御部３４２から出力された暗証番号が、事前に登録された暗証番号と一致していれば認証が成功したと判定し、一致していなければ認証が成功しなかったと判定する。また、個人認証処理部３４３は、認証が成功したと判定した場合に、ＮＦＣ制御部３４４のＮＦＣによる決済機能を有効にする。具体的には、個人認証処理部３４３は、ＮＦＣ制御部３４４におけるＮＦＣ決済処理部３４４ａの機能を有効にする。
【００６１】
また、個人認証処理部３４３は、認証が成功したと判定した場合に、ＢＴ制御部３４２を介して、ＢＴ通信回路３２２をオフにする制御を行う。例えば、個人認証処理部３４３は、ＢＴ制御部３４２に対して、ＢＴ通信回路３２２をオフにすることを指示するコマンドを発行することによりＢＴ通信回路３２２をオフにする制御を行う。
【００６２】
ＮＦＣ制御部３４４は、ＮＦＣ通信回路３３２によるＮＦＣの無線通信を制御する。例えば、ＮＦＣ制御部３４４はＮＦＣ決済処理部３４４ａを有する。ＮＦＣ決済処理部３４４ａは、ＮＦＣ通信回路３３２によるＮＦＣの無線通信を用いた決済を行う。
【００６３】
例えば、ＮＦＣの無線通信を用いた決済が電子マネーによる決済である場合に、制御回路３４０の補助メモリには、電子マネーの残高等の金銭情報が記憶されており、ＮＦＣ決済処理部３４４ａはこの金銭情報へアクセスして決済を行う。また、ＮＦＣの無線通信を用いた決済がクレジットカードによる決済である場合に、制御回路３４０の補助メモリには、腕時計１００のユーザのクレジットカードの番号等の情報が記憶されており、ＮＦＣ決済処理部３４４ａはこの情報へアクセスして決済を行う。
【００６４】
駆動機構３５１は、制御回路３４０（例えば演算部３４１）からの制御に応じて動作するステップモータと、輪列と、を含んで構成され、ステップモータの回転を輪列が伝達することによって、表示部３５２に含まれる秒針１２３などの指針を回転させる。
【００６５】
表示部３５２には、例えば、図１に示した文字板１１０や時針１２１、分針１２２及び秒針１２３が含まれる。例えば、表示部３５２に含まれる各指針が文字板１１０上を回転することによって、現在時刻などの各情報が表示される。
【００６６】
操作部３６０は、ユーザによる操作を受け付けて、その操作内容を制御回路３４０に対して出力する。制御回路３４０は、操作部３６０が受け付けた操作内容に応じて各種の処理を実行する。操作部３６０には、例えば図１に示したリューズ１３１、第１プッシュボタン１３２及び第２プッシュボタン１３３などが含まれる。また、操作部３６０は、音声によりユーザからの指示を受け付けるマイク等が含まれてもよい。
【００６７】
着脱検出部３７０は、腕時計１００のユーザによる、腕時計１００の着脱（装着及び取り外し）を検出する。例えば、着脱検出部３７０は、腕時計１００の加速度（動き）を検出する加速度センサ（モーションセンサ）を有し、加速度センサによる検出結果に基づいて腕時計１００の着脱を検出する。
【００６８】
具体的には、着脱検出部３７０は、腕時計１００の加速度の変位が閾値から閾値より大きい値に変化すると（すなわち腕時計１００が移動や回転を開始すると）、腕時計１００が装着されたと判定する。又は、着脱検出部３７０は、腕時計１００の加速度の変位が閾値以下である状態の後に、腕時計１００の加速度の変位が閾値より大きい状態が一定時間（一例としては５秒）継続すると、腕時計１００が装着されたと判定してもよい。
【００６９】
また、着脱検出部３７０は、腕時計１００の加速度の変位が閾値より大きい値から閾値以下に変化すると（すなわち腕時計１００が移動や回転を停止すると）、腕時計１００が取り外されたと判定する。又は、着脱検出部３７０は、腕時計１００の加速度の変位が閾値より大きい状態の後に、腕時計１００の加速度の変位が閾値以下である状態が一定時間（一例としては１５分）継続すると、腕時計１００が取り外されたと判定してもよい。
【００７０】
また、加速度センサによる検出結果に基づく腕時計１００の着脱の検出の方法は、これらに限らず各種の方法を用いることができる。また、着脱検出部３７０による腕時計１００の着脱の検出の方法は、加速度センサを用いる方法に限らない。例えば、着脱検出部３７０による腕時計１００の着脱の検出の方法は、バンド１４０の両端に設けられたフックの結合によりオンとなるスイッチを用いて行われてもよい。また、着脱検出部３７０による腕時計１００の着脱の検出の方法は、ユーザの体熱や静脈などを感知するセンサを用いて行われてもよい。
【００７１】
また、腕時計１００は、表示によりユーザへの通知を行うディスプレイや光源、音声によりユーザへの通知を行うスピーカ、振動によりユーザへの通知を行うバイブレータなどのユーザインタフェースを備えてもよい。これらのユーザインタフェースは例えば制御回路３４０により制御される。
【００７２】
（実施の形態１にかかる腕時計を用いた決済の流れ）
図４〜図８は、実施の形態１にかかる腕時計を用いた決済の流れの一例を示す図である。まず、図４に示すように、腕時計１００は、ユーザによる腕時計１００の装着を検出すると、スマートフォン１０との間でＢＴ通信の接続を行い、スマートフォン１０に対して認証情報を要求する。ここでは認証情報として暗証番号を用いるとする。
【００７３】
スマートフォン１０は、スマートフォン１０への暗証番号の入力をユーザに対して促す。例えば、スマートフォン１０は、「暗証番号を入力してください」とのメッセージとともに、入力ボックス４０１及びテンキー４０２をタッチパネル１１に表示する。これに対して、ユーザは、タッチパネル１１に表示されたテンキー４０２をタッチすることにより入力ボックス４０１に暗証番号を入力する。
【００７４】
このとき、スマートフォン１０及び腕時計１００の少なくともいずれかが、腕時計１００の装着を検出したことを音声、表示、振動などによりユーザに通知してもよい。図４に示す例では、スマートフォン１０が「腕時計の装着を検出しました」とのメッセージをタッチパネル１１により表示している。
【００７５】
腕時計１００を用いてユーザに通知を行う場合は、秒針１２３が所定位置を指し示すように制御し、装着を検出し、暗証番号の受信待ちをしている旨を表示するようにしてもよい。このとき、腕時計１００におけるリューズ１３１、第１プッシュボタン１３２及び第２プッシュボタン１３３による操作を無効とし、アラームやクロノグラフ等のその他の機能についても中断又は無効化しておくことが好ましい。
【００７６】
つぎに、図５に示すように、スマートフォン１０は、例えば、ユーザから入力ボックス４０１に暗証番号が入力されると、入力された暗証番号を認証情報としてＢＴ通信により腕時計１００に送信する。この場合に、腕時計１００は、スマートフォン１０から受信した暗証番号が、腕時計１００に予め設定された正当な暗証番号と一致するか否かを判定することにより認証を行う。
【００７７】
又は、スマートフォン１０は、入力された暗証番号と、予めスマートフォン１０に設定された正当な暗証番号と、の一致判定を行い、その判定結果を認証情報としてＢＴ通信により腕時計１００に送信してもよい。この場合に、腕時計１００は、スマートフォン１０から認証情報として受信した判定結果が一致又は不一致のいずれを示しているかにより認証を行う。
【００７８】
このとき、スマートフォン１０及び腕時計１００の少なくともいずれかが、暗証番号の入力を受け付けたことや認証を行うことを音声、表示、振動等によりユーザに通知してもよい。図５に示す例では、スマートフォン１０が「暗証番号を受け付けました」とのメッセージ及び「認証を行います」とのメッセージをタッチパネル１１により表示している。
【００７９】
ここでは上述の認証が成功したとする。つぎに、図６に示すように、上述の認証が成功したため、腕時計１００は、ＮＦＣ通信回路３３２による腕時計１００の決済機能を有効にする。また、腕時計１００は、ＢＴ通信回路３２２をオフにすることにより、スマートフォン１０との間のＢＴ通信の接続を切断する。
【００８０】
腕時計１００の決済機能の有効／無効の切り替えは、例えば、ＮＦＣ決済処理部３４４ａの動作の開始又は停止させることにより行うことができる。又は、腕時計１００の決済機能の有効／無効の切り替えは、ＮＦＣ通信回路３３２への電源供給の有無を切り替えることにより行われてもよい。
【００８１】
このとき、スマートフォン１０及び腕時計１００の少なくともいずれかが、認証に成功したことや、腕時計１００の決済機能を使用可能であることを音声、表示、振動などによりユーザに通知してもよい。図６に示す例では、スマートフォン１０が「認証しました」とのメッセージ及び「腕時計の決済機能を使用できます」とのメッセージをタッチパネル１１により表示している。
【００８２】
つぎに、図７に示すように、ユーザが、装着した腕時計１００を、決済金額（図７に示す例では１０８円）が設定されたＮＦＣ決済端末２０のアンテナ２１に近づけることにより、腕時計１００とＮＦＣ決済端末２０との間でＮＦＣ通信が行われ、決済を行うことができる。つぎに、図８に示すように、腕時計１００は、ユーザからの腕時計１００の取り外しを検出すると、ＮＦＣ通信回路３３２による腕時計１００の決済機能を無効にする。
【００８３】
例えば、ユーザは、外出前に腕時計１００を装着するとスマートフォン１０から暗証番号の入力を促され、スマートフォン１０へ暗証番号を入力する。これにより、腕時計１００の決済機能が有効になり、ユーザは、外出中に、腕時計１００をＮＦＣ決済端末２０のアンテナ２１に近づけることによりＮＦＣによる決済を行うことができる。
【００８４】
そして、ユーザは、帰宅後に腕時計１００を取り外す。これにより、腕時計１００の決済機能が無効になるため、再び腕時計１００を装着してスマートフォン１０へ暗証番号を入力しなければ、腕時計１００の決済機能が使用できなくなる。このため、例えば、腕時計１００がユーザの自宅から盗まれたり、ＮＦＣ決済端末２０を持った第三者がユーザの自宅に侵入したりしても、腕時計１００を用いて不正な決済を行うことはできないため、セキュリティを向上させることができる。
【００８５】
また、例えばユーザが外出先で腕時計１００を遺失した場合にも、腕時計１００はユーザからの取り外しを検出して腕時計１００の決済機能を無効にする。このため、この場合も腕時計１００を用いて不正な決済を行うことはできないため、セキュリティを向上させることができる。
【００８６】
また、ユーザは、腕時計１００を装着してスマートフォン１０へ暗証番号を入力すれば、腕時計１００を取り外すまでは、ＮＦＣによる決済機能を有効にする操作を行わなくても、腕時計１００をＮＦＣ決済端末２０のアンテナ２１に近づけることで決済を行うことができる。このため、例えば決済機能を有効にする操作を決済のたびに要する構成と比べて、ユーザにとっての利便性を向上させることができる。
【００８７】
（実施の形態１にかかる腕時計による処理）
図９は、実施の形態１にかかる腕時計による処理の一例を示すフローチャートである。腕時計１００は、例えば図９に示す処理を実行する。図９に示す処理は、例えば図３に示した制御回路３４０の制御によって行うことができる。初期状態として、腕時計１００のＢＴ通信回路３２２はオフになっており、かつ腕時計１００の決済機能は無効になっているものとする。
【００８８】
まず、腕時計１００は、ユーザによる腕時計１００の装着を検出したか否かを判断し（ステップＳ９０１）、腕時計１００の装着を検出するまで待つ（ステップＳ９０１：Ｎｏのループ）。ステップＳ９０１において、腕時計１００の装着を検出すると（ステップＳ９０１：Ｙｅｓ）、腕時計１００は、ＢＴ通信回路３２２をオンにする（ステップＳ９０２）。これにより、ＢＴ通信回路３２２は、予めペアリングされたスマートフォン１０との間でＢＴの接続処理を開始する。
【００８９】
つぎに、腕時計１００は、ＢＴ通信回路３２２のＢＴの接続処理によってスマートフォン１０と接続できたか否かを判断する（ステップＳ９０３）。すなわち、腕時計１００は、スマートフォン１０との間でＢＴの通信経路が確立できたか否かを判断する。スマートフォン１０と接続できていない場合（ステップＳ９０３：Ｎｏ）は、腕時計１００は、ステップＳ９０２によってＢＴ通信回路３２２をオンにしてから所定時間が経過したか否かを判断する（ステップＳ９０４）。
【００９０】
ステップＳ９０４において、所定時間が経過していない場合（ステップＳ９０４：Ｎｏ）は、腕時計１００は、ステップＳ９０３へ戻る。所定時間が経過した場合（ステップＳ９０４：Ｙｅｓ）は、腕時計１００は、ステップＳ９０２によってオンにしたＢＴ通信回路３２２をオフにし（ステップＳ９０５）、一連の処理を終了する。
【００９１】
ステップＳ９０３において、スマートフォン１０と接続できた場合（ステップＳ９０３：Ｙｅｓ）は、腕時計１００は、接続したスマートフォン１０を用いて、腕時計１００のＮＦＣによる決済機能を有効にするための認証処理を行う（ステップＳ９０６）。ステップＳ９０６における認証処理は、例えば、認証情報を要求する要求信号をスマートフォン１０へ送信し、スマートフォン１０から認証情報を受信し、受信した認証情報に基づく認証を行う上述の処理である。
【００９２】
つぎに、腕時計１００は、ステップＳ９０６の認証処理において認証が成功したか否かを判断する（ステップＳ９０７）。認証が成功していない場合（ステップＳ９０７：Ｎｏ）は、腕時計１００は、ステップＳ９０６による認証処理の回数が所定回数に達したか否かを判断する（ステップＳ９０８）。この認証処理の回数は、例えばステップＳ９０２が実行されるごとにリセットされる（１回に戻る）ものとする。
【００９３】
ステップＳ９０８において、認証処理の回数が所定回数に達していない場合（ステップＳ９０８：Ｎｏ）は、腕時計１００は、ステップＳ９０６に戻る。認証処理の回数が所定回数に達した場合（ステップＳ９０８：Ｙｅｓ）は、腕時計１００は、ステップＳ９０５へ移行する。
【００９４】
ステップＳ９０７において、認証が成功した場合（ステップＳ９０７：Ｙｅｓ）は、腕時計１００は、腕時計１００の決済機能を有効にする（ステップＳ９０９）。また、腕時計１００は、ステップＳ９０２によってオンにしたＢＴ通信回路３２２をオフにする（ステップＳ９１０）。ステップＳ９０９とステップＳ９１０の順序は入れ替えてもよい。
【００９５】
つぎに、腕時計１００は、ユーザからの腕時計１００の取り外しを検出したか否かを判断し（ステップＳ９１１）、腕時計１００の取り外しを検出するまで待つ（ステップＳ９１１：Ｎｏのループ）。腕時計１００の取り外しを検出すると（ステップＳ９１１：Ｙｅｓ）、腕時計１００は、ステップＳ９０９によって有効にした腕時計１００の決済機能を無効にし（ステップＳ９１２）、一連の処理を終了する。
【００９６】
（実施の形態１にかかるシステムにおける処理）
図１０は、実施の形態１にかかるシステムにおける処理の一例を示すシーケンス図である。例えば腕時計１００が図９に示した処理を実行することにより、図２に示したシステム２００において、例えば図１０に示す処理が実行される。
【００９７】
まず、腕時計１００が、ユーザによる腕時計１００の装着を検出したとする（ステップＳ１００１）。つぎに、腕時計１００が、ＢＴ通信回路３２２をオンにする（ステップＳ１００２）。つぎに、腕時計１００が、スマートフォン１０との間でＢＴ通信の接続処理を行う（ステップＳ１００３）。ここではステップＳ１００３における接続処理が成功したとする。
【００９８】
つぎに、腕時計１００が、暗証番号等の認証情報を要求する要求信号を、ＢＴの無線通信によりスマートフォン１０へ送信する（ステップＳ１００４）。つぎに、スマートフォン１０が、ユーザからの暗証番号等の認証情報の入力を受け付ける（ステップＳ１００５）。つぎに、スマートフォン１０が、ステップＳ１００５により入力された暗証番号等の認証情報を、ＢＴの無線通信により腕時計１００へ送信する（ステップＳ１００６）。
【００９９】
つぎに、腕時計１００が、ステップＳ１００６により受信した認証情報に基づく認証を行う（ステップＳ１００７）。ここではステップＳ１００７における認証が成功したとする。つぎに、腕時計１００が、ステップＳ１００７による認証成功の確認信号をスマートフォン１０へ送信する（ステップＳ１００８）。これにより、認証が成功したことをスマートフォン１０において確認し、切断の準備を行うことができる。
【０１００】
また、腕時計１００が、腕時計１００の決済機能を有効にする（ステップＳ１００９）。また、腕時計１００は、ステップＳ１００２によってオンにしたＢＴ通信回路３２２をオフにする（ステップＳ１０１０）。ステップＳ１００８〜Ｓ１０１０の順序は入れ替わってもよい。ただし、腕時計１００がＢＴ通信回路３２２をオフにする前にスマートフォン１０が切断の準備を行うことができるように、ステップＳ１００８はステップＳ１０１０より前に実行されることが望ましい。
【０１０１】
その後、腕時計１００は、ユーザからの腕時計１００の取り外しを検出したとする（ステップＳ１０１１）。つぎに、腕時計１００は、ステップＳ１００９によって有効にした腕時計１００の決済機能を無効にし（ステップＳ１０１２）、一連の処理を終了する。
【０１０２】
（実施の形態１にかかるシステムにおける処理の他の例）
図１１は、実施の形態１にかかるシステムにおける処理の他の一例を示すシーケンス図である。図２に示したシステム２００において、例えば図１１に示す処理が実行されてもよい。図１１に示すステップＳ１１０１〜Ｓ１１１２は、図１０に示したステップＳ１００１〜Ｓ１０１２と同様である。
【０１０３】
ただし、ステップＳ１１０５において、スマートフォン１０は、暗証番号等の認証情報の入力を受け付け、受け付けた認証情報が、予めスマートフォン１０に設定された正当な暗証番号と一致するか否かを判定する一致判定を行う。ここでは一致したとする。
【０１０４】
また、ステップＳ１１０６において、スマートフォン１０は、ステップＳ１１０５における一致判定の結果（一致）を、認証情報として腕時計１００へ送信する。このように、スマートフォン１０が受け付けた認証情報の一致判定は、腕時計１００ではなくスマートフォン１０において行われるようにしてもよい。
【０１０５】
このように、実施の形態１にかかる腕時計１００によれば、ＢＴ通信回路３２２（第１通信部）によりスマートフォン１０（第１通信装置）から受信した認証情報に基づく認証が成功した場合に、ＮＦＣ（近距離無線通信）を用いた決済機能（所定の機能）を有効にし、さらにＢＴ通信回路３２２を消費電力が小さい状態へ切り替えることができる。
【０１０６】
これにより、例えば認証が成功してもＢＴ通信回路３２２を消費電力が小さい状態へ切り替えない構成と比べて、ＢＴ通信回路３２２における消費電力を低減することができる。また、スマートフォン１０から受信した認証情報に基づいて認証を行うことで、ユーザから認証情報の入力を受け付けるユーザインタフェースを腕時計１００に設けなくてもセキュリティを向上させることができる。したがって、腕時計の大型化及び外観品質の劣化を回避しつつ、決済機能を第三者に不正使用されることを抑制してセキュリティを向上させることができる。このため、腕時計１００によれば、セキュリティの向上及び消費電力の低減を図ることができる。
【０１０７】
（実施の形態２）
実施の形態２について、実施の形態１と異なる部分について説明する。実施の形態１においては、腕時計１００とＮＦＣ決済端末２０との間のＮＦＣの無線通信を用いた所定の機能の一例として決済機能について説明したが、この所定の機能は決済機能に限らない。実施の形態２においては、腕時計１００とＮＦＣ決済端末２０との間のＮＦＣの無線通信を用いた所定の機能の他の例について説明する。
【０１０８】
（実施の形態２にかかるシステム）
図１２は、実施の形態２にかかるシステムの一例を示す図である。図１２において、図２に示した部分と同様の部分については同一の符号を付して説明を省略する。図１２に示すように、実施の形態２にかかるシステム２００は、例えば、電子錠ドア３０の解錠を補助する解錠補助システムである。
【０１０９】
電子錠ドア３０は、腕時計１００との間でＮＦＣの無線通信を行う第２通信装置の、ＮＦＣ決済端末２０とは異なる一例である。電子錠ドア３０は、各種の施設、建物、部屋、会場などの人の出入り口となるドアであってもよいし、収納ロッカーなどに設けられたドアであってもよい。
【０１１０】
この場合に、腕時計１００のＮＦＣの無線通信を用いた所定の機能は、電子錠ドア３０の電子錠を解錠する解錠機能である。例えば、上述の認証が行われることにより、腕時計１００の解錠機能が有効になる。腕時計１００の解錠機能が有効である状態で腕時計１００を電子錠ドア３０のアンテナ３１に近づけることにより、腕時計１００が電子錠ドア３０との間でＮＦＣの無線通信を行い、電子錠ドア３０の電子錠が解錠される。これにより、ドアノブ３２を回すことが可能になり電子錠ドア３０を開けることができる。
【０１１１】
実施の形態２においても、認証成功時のＢＴ通信回路３２２のオフ、腕時計１００の装着検出による認証及び所定の機能の有効化、腕時計１００の取り外し検出による所定の機能の無効化などは実施の形態１と同様に行うことができる。
【０１１２】
また、腕時計１００のＮＦＣの無線通信を用いた所定の機能は、上述の決済機能や解錠機能に限らず、例えば本人認証に基づくセキュリティを要する各種の機能とすることができる。例えば、所定の機能は、電子錠ドア３０の施錠する機能であってもよい。また、所定の機能は、腕時計１００と他の装置との間で情報（例えば電子名刺やチケットの情報）を送受信する機能、ウェブサイトへログインする機能、定期乗車券の機能などであってもよい。
【０１１３】
このように、実施の形態２にかかる腕時計１００によれば、所定の機能が決済機能である場合に限らず、実施の形態１にかかる腕時計１００と同様の効果を得ることができる。
【０１１４】
また、腕時計１００は、所定の機能を複数有していてもよい。すなわち、腕時計１００は、上述した電子マネーによる決済、クレジットカードによる決済、解錠機能などの各種の機能のうち２以上の機能を有していてもよい。
【０１１５】
この場合に、腕時計１００は、複数の所定の機能のうちいずれの機能を有効にするかを切り替え可能であってもよい。この切り替えは、例えば、腕時計１００の操作部３６０に対するユーザからの操作や、スマートフォン１０などの第１通信装置からの制御によって行うことができる。
【０１１６】
また、この場合に、腕時計１００及びスマートフォン１０の少なくともいずれかは、複数の所定の機能のうちいずれの機能が有効であるかを示す情報をユーザへ出力してもよい。この通知は、例えば、音声、表示、振動などを用いることができる。表示による通知には、腕時計１００の指針による表示が含まれてもよい。
【０１１７】
（実施の形態３）
実施の形態３について、実施の形態１及び実施の形態２と異なる部分について説明する。実施の形態１及び実施の形態２においては、腕時計１００との間で所定の機能を有効にするための認証に用いられる通信を行う第１通信装置の一例としてスマートフォン１０について説明したが、第１通信装置はスマートフォン１０に限らない。
【０１１８】
例えば、第１通信装置は、タブレット端末、パーソナルコンピュータ、生体情報の読み取り装置などの、ユーザから暗証番号等の認証情報の入力を受付可能な各種の情報端末とすることができる。また、第１通信装置は、ユーザから認証情報の入力を受付可能な情報端末にも限らない。図１３において、ユーザから認証情報の入力を受付可能なインタフェースを備えない第１通信装置の例について説明する。
【０１１９】
（実施の形態３にかかるシステム）
図１３は、実施の形態３にかかるシステムの一例を示す図である。図１３において、図２に示した部分と同様の部分については同一の符号を付して説明を省略する。図１３に示すように、実施の形態３にかかるシステム２００は、腕時計１００及び無線通信装置４０を含む。
【０１２０】
無線通信装置４０は、腕時計１００との間で所定の機能を有効にするための認証に用いられる通信を行う第１通信装置の、スマートフォン１０とは異なる一例である。無線通信装置４０は、例えば無線ＬＡＮ（Ｌｏｃａｌ  Ａｒｅａ  Ｎｅｔｗｏｒｋ）のルータであってもよいし、フェムトセルを形成するフェムト基地局などであってもよいし、ＢＴの無線通信が可能な各種の端末であってもよい。
【０１２１】
この場合に、上述の認証は、腕時計１００が無線通信装置４０と無線通信を行うことにより行うことができる。例えば、無線通信装置４０は、腕時計１００のユーザの自宅に設置され、又は腕時計１００のユーザにより携帯されている。この場合に、腕時計１００が無線通信装置４０と無線通信できることは、腕時計１００が腕時計１００のユーザの自宅又は腕時計１００のユーザの近くにあることを意味する。このため、腕時計１００が無線通信装置４０と無線通信を行うことができたことをもって、腕時計１００の所定の機能を有効にしても安全である状況であると推定することができる。
【０１２２】
したがって、例えば、腕時計１００は、無線通信装置４０と無線通信を行うことにより上述の認証を行うことができる。例えば、腕時計１００は、予め設定された無線通信装置４０との無線通信を試行し、無線通信装置４０と無線通信を行うことができた場合は認証が成功したと判定し、無線通信装置４０と無線通信を行うことができなかった場合は認証が成功しなかったと判定する。
【０１２３】
また、腕時計１００が無線通信装置４０と無線接続された場合に無線通信装置４０から腕時計１００へ所定の情報（暗証キーなど）を送信するようにしておき、腕時計１００はこの所定の情報を受信できたか否かによって上述の認証を行ってもよい。
【０１２４】
実施の形態１においても、認証成功時のＢＴ通信回路３２２のオフ、腕時計１００の装着検出による認証及び所定の機能の有効化、腕時計１００の取り外し検出による所定の機能の無効化などは実施の形態１と同様に行うことができる。例えば、腕時計１００は、ユーザによる腕時計１００の装着を検出すると上述の無線通信装置４０との無線通信の試行を行うことにより認証を行い、所定の機能を有効にする。
【０１２５】
これにより、例えば上述のスマートフォン１０への認証情報の入力などをユーザが行わなくても、セキュリティを確保した状態で所定の機能を有効にすることができる。例えば、ユーザが外出前に腕時計１００を装着するのみで腕時計１００の決済機能等が有効になる。このため、ユーザにとっての利便性をさらに向上させることができる。
【０１２６】
このようなユーザによる認証情報の入力を行わない認証は、第１通信装置がスマートフォン１０などである場合にも適用することができる。例えば、第１通信装置としてスマートフォン１０を用いる場合に、ユーザは、外出前に、スマートフォン１０を携帯し、又はスマートフォン１０の近くにおいて腕時計１００を装着するのみで腕時計１００の決済機能等が有効になる。
【０１２７】
このように、実施の形態３にかかる腕時計１００によれば、第１通信装置がスマートフォン１０である場合に限らず、実施の形態１及び実施の形態２にかかる腕時計１００と同様の効果を得ることができる。また、第１通信装置と無線通信できたことにより認証が成功したと判定することにより、ユーザが第１通信装置への認証情報の入力を行わなくても所定の機能を有効にし、ユーザにとっての利便性をさらに向上させることができる。実施の形態３を実施の形態２と組み合わせて実行することも可能である。
【０１２８】
また、上述した各実施の形態において、スマートフォン１０などの第１通信装置と腕時計１００との間の通信にＢＴを用いる構成について説明したが、このような構成に限らない。例えば、スマートフォン１０などの第１通信装置と腕時計１００との間の通信には、無線ＬＡＮ、赤外線通信、ＮＦＣなどの各種の無線通信や、有線通信を用いてもよい。
【０１２９】
また、上述した各実施の形態において、所定の機能を有効にするための認証を行う契機としてユーザによる腕時計１００の装着の検出について説明したが、このような構成に限らない。例えば、腕時計１００は、リューズ１３１、第１プッシュボタン１３２、第２プッシュボタン１３３などの腕時計１００の操作部３６０に対するユーザからの所定の操作を受け付けた場合に、所定の機能を有効にするための認証を行うようにしてもよい。
【０１３０】
また、上述した各実施の形態において、所定の機能を無効にする契機としてユーザからの腕時計１００の取り外しの検出について説明したが、このような構成に限らない。例えば、腕時計１００は、リューズ１３１、第１プッシュボタン１３２、第２プッシュボタン１３３などの腕時計１００の操作部３６０に対するユーザからの所定の操作を受け付けた場合に所定の機能を無効にしてもよい。また、腕時計１００は、所定の機能を有効にしてから所定の時間（一例としては１２時間）が経過した場合に所定の機能を無効にしてもよい。また、腕時計１００は、現在時刻が所定の時刻（一例としては深夜の２時）となった場合に所定の機能を無効にしてもよい。
【０１３１】
又は、所定の機能を無効にする契機は、腕時計１００の取り外しの検出、操作部３６０などの複数のイベントの少なくともいずれかが発生したときとしてもよい。例えば、腕時計１００は、腕時計１００の取り外しを検出した場合と、所定の機能を有効にしてから所定の時間が経過した場合と、の両方において所定の機能を無効にしてもよい。又は、腕時計１００は、腕時計１００の取り外しを検出し、かつ操作部３６０に対するユーザからの所定の操作を受け付けた場合に所定の機能を無効にしてもよい。
【０１３２】
また、上述した各実施の形態において、スマートフォン１０（第１通信装置）を、腕時計１００における所定の機能の認証のために用いる構成について説明したが、腕時計１００の所定の機能と同様の機能をスマートフォン１０にも設けてもよい。
【０１３３】
例えば、クレジットカードによる決済は、ネットワーク経由で行われ、残高などの金銭情報を腕時計１００などの端末に記録して用いるものではない。したがって、クレジットカードによる決済機能を腕時計１００とスマートフォン１０のそれぞれにおいて使用しても、決済のたびに腕時計１００とスマートフォン１０との間で金銭情報を送受信しなくてもよい。このため、クレジットカードによる決済機能を腕時計１００とスマートフォン１０の両方に設けてもよい。同様に、上述の解錠機能なども、腕時計１００とスマートフォン１０の両方に設けてもよい。
【０１３４】
以上説明したように、腕時計及びシステムによれば、セキュリティの向上及び消費電力の低減を図ることができる。
【産業上の利用可能性】
【０１３５】
以上のように、この発明にかかる腕時計及びシステムは、近距離無線通信を用いた機能を有する腕時計に有用であり、特に、その機能が本人認証に基づくセキュリティを要する場合に適している。
【符号の説明】
【０１３６】
１０  スマートフォン
１１  タッチパネル
１２  マイク
１３  通話用スピーカ
１４  アラーム用スピーカ
２０  ＮＦＣ決済端末
２１、３１、３２１、３３１  アンテナ
３０  電子錠ドア
３２  ドアノブ
４０  無線通信装置
１００  腕時計
１１０  文字板
１２１  時針
１２２  分針
１２３  秒針
１３１  リューズ
１３２  第１プッシュボタン
１３３  第２プッシュボタン
１４０  バンド
２００  システム
３５２  表示部
４０１  入力ボックス
４０２  テンキー
【図１】
2020118611.tif 000003
【図２】
2020118611.tif 000004
【図３】
2020118611.tif 000005
【図４】
2020118611.tif 000006
【図５】
2020118611.tif 000007
【図６】
2020118611.tif 000008
【図７】
2020118611.tif 000009
【図８】
2020118611.tif 000010
【図９】
2020118611.tif 000011
【図１０】
2020118611.tif 000012
【図１１】
2020118611.tif 000013
【図１２】
2020118611.tif 000014
【図１３】
2020118611.tif 000015